(57)【要約】記録のプログラムされた開始及び終了時間（１、２）にマージン（６、７）を追加することによって、ビデオカセットレコーダ（ＶＣＲ）（１３０）又は他のタイプのビデオレコーダによるテレビジョン番組の不完全な記録の発生を減少するシステム、方法、及びコンピュータ可読媒体である。マージンは、記録が、プログラムされた開始時間より特定の時間量（ΔＴＢ）早く開始し、且つ、プログラムされた終了時間より別の特定の時間量（ΔＴＥ）遅く終了するようにさせる。従って、テレビジョン番組が、予定より、数分早く始まっても、又は、数分遅く終了しても、本発明は、ビデオレコーダが予定時間に応じてプログラムされるにも関らず、ビデオレコーダによって、テレビジョン番組の全体が記録されることを確実にすることを支援する。
2005506021.tif 000002
【特許請求の範囲】
【請求項１】
番組を記録するシステムであって、
記録時間間隔を画成する、記録のための開始時間及び終了時間を入力するための入力装置と、
前記記録時間間隔にある時間量を追加することによって、前記記録時間間隔を変更するマージン設定装置と、
前記変更された記録時間間隔において、放送番組を記憶媒体上に記録する記録装置と、
を有するシステム。
【請求項２】
前記入力装置は、電子番組ガイド上に表示される番組を選択する選択装置を有し、
前記選択された番組は、特定の開始時間及び終了時間に対応する請求項１記載のシステム。
【請求項３】
前記入力装置と、前記マージン設定装置を有するセットトップボックスを更に有する請求項２記載のシステム。
【請求項４】
前記入力装置は、記録のための前記開始時間及び前記終了時間を、手動で入力するためのインタフェースを有する請求項１記載のシステム。
【請求項５】
前記ビデオ記録装置は、ビデオカセットレコーダ（ＶＣＲ）であり、
前記記憶媒体は、磁気テープである請求項１記載のシステム。
【請求項６】
前記マージン設定装置は、前記ＶＣＲ内に導入される請求項５記載のシステム。
【請求項７】
前記マージン設定装置は、前記開始時間を、所定の開始時間マージンに応じて決定される先行する時間に動かすこと、及び、前記終了時間を、所定の終了時間マージンに応じて決定される後の時間に動かすことのうちの少なくとも１つによって、前記記録時間間隔を変更する請求項１記載のシステム。
【請求項８】
前記所定の開始時間マージン、及び/又は、前記所定の終了時間マージンは、ユーザにより指定される請求項７記載のシステム。
【請求項９】
番組を記録する方法であって、
記録時間間隔を画成する、記録のための開始時間及び終了時間を入力する段階と、
前記記録時間間隔にある時間量を追加することによって、前記記録時間間隔を変更する段階と、
前記変更された記録時間間隔において、放送番組を記憶媒体上に記録する段階と、
を有する方法。
【請求項１０】
コンピュータにより実行される命令を有するコンピュータ可読媒体であって、
記録時間間隔を画成する、記録のための開始時間及び終了時間を入力する命令と、
前記記録時間間隔にある時間量を追加することによって、前記記録時間間隔を変更する命令と、
前記変更された記録時間間隔において、放送番組を記憶媒体上に記録するようビデオレコーダを自動プログラムする命令と、
を含む媒体。
【発明の詳細な説明】
【０００１】
発明の属する技術分野
本発明は、テレビジョン信号の記録に関り、より具体的には、ビデオカセットレコーダに記録時間をプログラムするメカニズムに係る。
【０００２】
発明の背景
ビデオカセットレコーダ（ＶＣＲ）は、テレビジョン番組を磁気テープカセットに記録し、記録した番組をテレビ受像機上で再生する装置である。ＶＣＲは、一般的に、ユーザによって、特定の日付に、特定の時間の間、特定のチャンネル上で放送される１つ又は複数の番組を記録するようプログラムされることが可能である。
【０００３】
従来技術の説明
テレビジョン番組を記録するようＶＣＲをプログラムする１つの方法は、ユーザが手動で、チャンネルと、記録の開始時間及び終了時間と、日付（日付は、記録が同日に行われる場合には常に必要であるとは限らない）を手動で入力することが関連する。このＶＣＲの手動プログラミングは、一般的に、ＶＣＲ自体上に設置されるキーを用いてか、又は、遠隔制御コンソール上のキーを用いて行われる。
【０００４】
ＶＣＲ記録のチャンネルと、開始及び終了時間の手動プログラミングの代替の方法は、テレビ受像機上に表示される電子番組ガイド（ＥＰＧ）を用いることである。ＥＰＧは、放送予定のテレビジョン番組についての情報を表示する。各番組の日付、時間、及びチャンネルが、一般的に、ＥＰＧによって表示される。多くのＥＰＧは、（例えば、リスト上をクリックすることによって）テレビジョンシステムに接続されるＶＣＲによって記録される特定の番組リストを、ユーザが選択することを可能にする。そのようなＥＰＧ上で番組リストが選択された後、ＶＣＲは、選択された番組リストに関連して、ＥＰＧに格納されるチャネル、日付、開始及び終了時間に応じて、自動的にプログラムされる。
【０００５】
このＥＰＧを用いてＶＣＲをプログラムする方法は、通常、手動による方法より便利である。何故なら、ユーザは、ユーザが記録したい番組の開始及び終了時間とチャンネルを調べる必要がないからである。しかし、ＥＰＧは、特別なテレビジョン放送システム（例えば、ケーブル又は衛星システム）に加入しておらず、従来のテレビジョンアンテナ信号を介して伝送される番組を記録したいユーザに常に利用可能であるとは限らない。
【０００６】
上述した方法のいずれかによってＶＣＲをプログラムする際、記録されるテレビジョン番組が、最初に予定されていたのとは異なる時間に開始及び／又は終了すると、問題が発生し得る。このような予定時間からのずれは、テレビジョン番組の一部が、プログラムされた記録時間間隔外で放送されることとなり、その結果、記録は不完全となる。
【０００７】
図１は、この問題を説明する。図１は、午後３時から午後６時までの間に、このチャンネルで放送される番組の予定放送時間と、特定の番組（番組Ａ）が時間通りに終了しなかったことによる実際の番組時間とを示す例である。ユーザは、番組Ｂを、ＶＣＲ上に記録することを望んでいると仮定する。ユーザは、（斜線が引かれた時間間隔として示した）午後４時の予定開始時間１から午後５時の予定終了時間まで記録するようＶＣＲをプログラムする。しかし、実際の放送時間線により示すように、番組Ｂの実際の開始時間１ａと終了時間２ａは、予定の開始時間１及び終了時間２の後にくる。従って、ＶＣＲは、番組Ａの一部３を記録し、番組Ｂの一部４を省略してしまう。
【０００８】
図１に示すように、先行するテレビジョン番組が延長すると、ＶＣＲ記録は、記録するようプログラムされたテレビジョン番組全体を記録しない場合がある。このことは、前の番組が、フットボール又はベースボールの試合といったテレビ放送されるスポーツイベントであるときにしばしば起きる。これらの試合は、その予定時刻よりも延長する傾向がある（例えば、試合が延長時間に入る又は延長戦になる）。一般的に、テレビジョンネットワークは、その試合に割当てられた番組時間を超えても、そのスポーツイベントの全部をテレビ放送する。しかし、このような遅延される開始時間は、重要な速報や他の臨時番組によっても発生し得る。
【０００９】
不完全なテレビジョン番組記録の問題は、ＶＣＲの内部時計によって管理される時間が、実際の時間、又は、放送局又はネットワークによって管理される時間からずれると、発生し得る。例えば、ユーザは、ＶＣＲの時計を、数分早く又は遅くなるよう設定し得る。或いは、放送ネットワーク又は放送局が、正確な時間を管理していない場合もある。ＶＣＲの時計とネットワーク又は放送局の時計とが同期していないことによって、番組の一部が、ＶＣＲの記録時間外で放送されることを引き起こし得る。
【００１０】
番組配信制御（ＰＤＣ）が、上述の問題に対する解決策を提供する。ＰＤＣシステムは、対応ＶＣＲと、他のタイプのビデオレコーダを、各テレビジョン番組に対応する放送局によって伝送されるテレテキストコードに応じて制御する。ＰＤＣ制御下のビデオレコーダは、テレビジョン番組が開始する直前に伝送されるＰＤＣコードを受信するまで記録を開始しない。従って、番組が、遅延される又は予定変更されると、ＶＣＲの記録は、自動的に予定変更され、それにより、テレビジョン番組はどこも損なわれないようにされる。しかし、ＰＤＣは、テレテキストサービスを必要とし、これは、全てのテレビジョン視聴者が利用可能ではない。特に、従来のアンテナ信号を介して番組を受信するテレビ受像機を有する視聴者は利用可能ではない。
【００１１】
発明の目的及び概要
本発明は、番組の実際の開始及び終了時間が、その予定の開始及び終了時間からずれても、ＶＣＲが番組全体を記録するようにさせることを目的とする。
【００１２】
本発明の１つの実施例は、ＶＣＲが記録するようプログラムされる時間間隔の始まりと終わりに時間マージンを追加する技術が関連する。追加される時間マージンは、ＶＣＲが、プログラムされた開始時間より設定時間量前に記録を始め、且つ、プログラムされた終了時間より設定時間量後に記録を終わるようにする。
【００１３】
本発明の更なる実施例では、時間マージンは、ＥＰＧの番組リストを選択することによって、ＶＣＲ内に自動的にプログラムされる記録開始及び終了時間に追加される。
【００１４】
本発明の更なる実施例では、時間マージンは、ユーザによって、ＶＣＲ内に手動でプログラムされる記録開始及び終了時間に追加される。
【００１５】
本発明の更なる実施例では、ユーザは、ＶＣＲが記録するようプログラムされる時間間隔の始まりと終わりに追加される時間マージンに対応する時間量を指定する。
【００１６】
本発明の利点は、以下に与える詳細な説明からより明らかとなろう。しかし、本発明の好適な実施例を示しながらの詳細な説明及び特定の例は、例示的に過ぎないことを理解するものとし、というのは、本発明の技術的思想及び範囲内の様々な変更及び修正は、当業者には明らかだからである。
【００１７】
本発明は、以下に与える詳細な説明と、例示的に与え、従って、本発明を制限するものではない添付図面からより完全に理解されるであろう。
【００１８】
実施例の詳細な説明
図面を参照するに、図１は、テレビジョン番組の開始時間の予定外の遅延により、その番組全体が記録されない状況を説明する。図１に示すように、番組Ａは、その予定終了時間より数分遅れて終わり、これは、番組Ｂの実際の開始時間１ａ及び終了時間２ａを、その予定開始時間１及び終了時間２から数分遅らせる。この状況において、番組Ｂの一部４は、斜線領域として示すＶＣＲ（又は、他のビデオレコーダ）のプログラムされた記録時間間隔外となる。従って、番組Ｂの全体が記録されるわけではなくなる。
【００１９】
図２は、本発明の１つの実施例による、ビデオレコーダが記録するようプログラムされた時間間隔へのマージンの追加を説明する。最初にプログラムされた記録時間間隔５は、開始時間マージン６と終了時間マージン７を加えることにより延長される。これらの時間マージン６及び７は、記録時間間隔５の開始時間が、最初にプログラムされた開始時間より所定の時間量ΔＴＢ早くなるようにし、且つ、終了時間が、最初にプログラムされた終了時間より所定の時間量デルタＴＥ遅くなるようにすることによって追加される。
【００２０】
図３Ａは、ビデオレコーダ内の装置によって、プログラムされた記録時間間隔にマージンが追加される本発明の１つの実施例を示すブロック図である。ＶＣＲ１３０は、ＶＣＲの組合わせられたキーボード／ディスプレイユニット１０ａから受信するデータをフォーマット化するキーボード／ディスプレイインタフェース２０ａを有する。同様に、遠隔制御インタフェース２０ｂも、遠隔制御コンソール１０ｂから受信するデータをフォーマット化する。フォーマット化されたデータは、ＶＣＲマイクロコントローラ３０に伝送される。マイクロコントローラ３０は、クロック／カレンダ装置４０と、プログラム可能な記録パラメータを格納するメモリ５０に接続される。メモリ５０は更に、追加マージン設定装置６０に接続される。ＶＣＲマイクロコントローラ３０は、それぞれ、ＶＣＲ１３０のビデオ記録／再生ユニット１１０と同調器９０を制御する記録／再生制御ユニット７０と、同調制御ユニット８０に命令を伝送する。ＴＶ入力信号が、同調器９０に入力され、信号処理ユニット１００によってビデオ合成信号に処理され、ビデオ合成信号は、ビデオ記録／再生ユニット１１０に伝送される。ビデオ記録／再生ユニットは、ＴＶ入力信号を受信し、テレビジョンに信号を出力するマルチプレクサ１２０に接続される。
【００２１】
図３Ｂは、ＶＣＲ１３０の外部の装置によって、プログラムされた記録時間間隔にマージンが追加される本発明の１つの実施例を示すブロック図である。この実施例は、図３Ａに示す実施例と異なる。何故なら、追加マージン設定装置６０は、ＶＣＲ１３０の外側に設置され、セットトップボックス（ＳＴＢ）の形式であり得るからである。ＶＣＲ１３０は、追加マージン設定装置６０とＶＣＲマイクロコントローラ３０との間にインタフェース２０ｃを有する。
【００２２】
図４は、本発明の１つの実施例による追加マージン設定装置６０を示すブロック図である。キーボード及びディスプレイ装置６１０は、インタフェース６２０に接続し、このインタフェースは、装置マイクロコントローラ６００が使用できる形式に任意の入力データをフォーマット化する。同様に、遠隔制御インタフェース６３０も、遠隔制御器から入力されるデータを受信しフォーマット化する。マイクロコントローラ６００は、記録パラメータ及びマージンパラメータを格納するメモリ６４０と、データをフォーマット化し、ＶＣＲ１３０にデータを伝送するインタフェース６５０に接続する。
【００２３】
尚、ＶＣＲ１３０に関連して多くの実施例を記載するが、これは、記述目的に過ぎず、ＶＣＲ１３０のプログラムされた記録時間にマージンを追加することに制限するものではない。本発明は、特定の記憶媒体上に特定の時間間隔の間に、一部のタイプのオーディオ／ビジュアル信号を記録するようプログラムされることが可能である任意の他のタイプのプログラム可能なレコーダと共に用い得る。このようなレコーダは、デジタルテレビジョン番組、又は、インターネットを介してパーソナルコンピュータにブロードキャストされる表現をハードディスク上に記録するものを含み得る。他のレコーダは、ラジオ番組をカセットテープに記録するオーディオテープリコーダを含み得る。
【００２４】
図２を参照するに、本発明の１つの実施例は、ＶＣＲ１３０が、特定のチャンネルを介して放送されるテレビジョン番組を記録するようプログラムされる時間間隔５に、時間マージン６及び７を追加することに関連する。ＶＣＲ１３０のプログラムされた記録時間間隔５は、図２に示す実施例では、それぞれ午後４時と午後５時である、プログラムされた記録開始時間と記録終了時間に応じて決められる。追加マージンは、プログラムされた記録開始時間を、時間量ΔＴＢ分早いように変更し、且つ、プログラムされた記録終了時間を、時間量ΔＴＥ分遅いよう変更することによって、プログラムされた記録時間間隔に追加される。
【００２５】
尚、別の実施例では、プログラムされた記録時間間隔５の始まり又は終わりのどちらかに、１つだけ時間マージンが追加される。別の実施例では、時間量ΔＴＢ及びΔＴＥは、ＶＣＲ１３０上のキーボード１０ａ、遠隔制御器１０ｂ、又はセットトップボックス上のキーボードを介して、ユーザによって決められ得る。代替の実施例では、ΔＴＢ及びΔＴＥは、ユーザによって設定又は修正することのできない所定のパラメータであり得る。
【００２６】
別の実施例では、パラメータΔＴＢ及びΔＴＥは、互いに等しくても等しくなくてもよい。例えば、始まりの時間マージンは、ΔＴＢ＝２分間、また、終わりの時間マージンは、ΔＴＥ＝１０分間と設定され得、それにより、ＶＣＲは、記録をプログラムされたよりも２分前に記録を開始し、プログラムされたよりも１０分後で記録を終了する。
【００２７】
図３Ａを参照するに、本発明の１つの実施例によると、これらのマージン６、７は、ＶＣＲ１３０内に組み込まれる追加マージン設定装置６０によって、プログラムされた記録時間間隔５に追加される。ＶＣＲマイクロコントローラ３０は、ＶＣＲ１３０のキーボード／ディスプレイユニット１０ａを介して、又は、遠隔制御器１０ｂを介して、ユーザにより設定されるプログラムされた記録パラメータ（即ち、日付、開始及び終了時間、および、チャンネル）を受信することができる。あるいは、記録パラメータは、セットトップボックス又はＶＣＲ１３０内にて実行されるＥＰＧソフトウェアから受信し得る。
【００２８】
ＶＣＲマイクロコントローラ３０は、プログラムされた記録パラメータを、メモリ５０内に格納する。追加マージン設定装置６０は、これらの格納されたパラメータをメモリ５０からアクセスし、記録開始時間を、指示される時間量分、即ち、ΔＴＢ分早めるよう変更する。同様に、追加マージン設定装置は、記録終了時間を、指示される時間量分、即ち、ΔＴＥ分遅らせるよう変更する。変更された開始及び終了時間は、メモリ５０に格納される。なお、最初の開始時間又は終了時間のどちらかが、真夜中に近い場合、記録開始日付、及び、記録終了日付も、追加されるマージンによって、開始時間が前日になる又は終了時間が翌日になる（例えば、開始時間が１２：０１ａｍから前日の１１：５９ｐｍに変更される）ときは、修正する必要があり得る。
【００２９】
組合わされたクロック／カレンダ装置４０によって示される日時が、プログラムされた記録に対応するメモリ５０内の開始時間及び日付に適合すると、ＶＣＲマイクロコントローラ３０は、ＶＣＲ１３０の同調制御ユニット８０に、合わせられるべきチャネルを指示する制御信号を送信し、記録／再生制御ユニット７０に、記録を開始すべき旨を指示する制御信号を送信する。ＶＣＲマイクロコントローラ３０の制御信号に応えて、同調制御ユニット８０は、同調器９０を制御して、対応するチャネルに合わせ、また、記録／再生制御ユニット７０は、ビデオ記録／再生ユニット１１０を、記録を開始するよう制御する。
【００３０】
クロック／カレンダ装置４０により示される日時が、プログラムされた記録に対応するメモリ５０内の終了時間及び日付に適合すると、ＶＣＲマイクロコントローラ３０は、同調制御ユニット８０と記録／再生制御ユニット７０に、記録が終了すべきである旨を指示する制御信号を伝送する。従って、同調制御ユニット７０は、ビデオ記録／再生ユニット１１０に記録を終了させるようにする。
【００３１】
図３Ｂを参照するに、代替の実施例によると、時間マージン６及び７は、ＶＣＲ１３０の外側にある追加マージン設定装置６０によって、プログラムされた記録時間間隔５に追加される。このような実施例では、ＶＣＲ１３０は、図３Ａに示す実施例と同様に、記録パラメータのプログラミング及びテレビジョン番組の記録の作業を実行する。
【００３２】
図３Ｂの実施例では、追加マージン設定装置６０は、ＶＣＲ１３０の自動番組記録のために使用されるＥＰＧソフトウェアを実行するセットトップボックス内に組み込まれ得る。このような構成において、追加のマージン設定装置６０は、ＥＰＧソフトウェアによって示される記録開始及び終了時間（必要である場合には、開始及び終了日付）を、これらの記録パラメータがＶＣＲ１３０に伝送される前に変更することが可能であり得る。追加マージン設定装置６０は、プログラムされた記録パラメータを変更するためにＶＣＲマイクロコントローラ３０によって実行される命令を伝送するスダンドアロン装置としても構成され得る。或いは、追加マージン設定装置は、ＶＣＲマイクロコントローラ３０からプログラムされた記録パラメータを取出し、これらのパラメータを、時間マージン６及び７を有するよう変更し、変更されたパラメータを、メモリ５０内に格納されるようＶＣＲマイクロコントローラ３０に戻し得る。
【００３３】
図３Ｂの実施例では、追加マージン設定装置６０は、ＶＣＲのプログラムされた記録時間間隔５を、図３Ａの実施例と同様に変更する。プログラムされた記録の記録開始時間は、時間量ΔＴＢ分早められ、且つ、記録終了時間は、時間量ΔＴＥ分遅らされる。記録開始及び終了日付も、必要である場合には、変更される。
【００３４】
追加マージン設定装置の構成要素及び構成を、図４に示す。当業者には、ユニットブロック６１０−６５０のいずれも、ハードウェアに基づく構成要素又は装置、実行可能なコンピュータプログラムの機能ブロック、又は、これらの２つの組合わせのいずれかを示すことは明らかである。図４のブロック図は、例示的に過ぎず、本発明を制限するものと考えるものではない。当業者は、図４に示す複数のブロックの機能は、１つのハードウェア構成要素又は命令のブロックによって実行され得ることを認識するであろう。同様に、当業者は、図４の１つのブロックに割当てられる機能は、別個のハードウェア構成要素又はソフトウェアブロックによって行われ得ることを認識するであろう。
【００３５】
更に、追加マージン設定装置がＶＣＲ１３０内に組み込まれる図３Ａに示す実施例において、装置マイクロコントローラ６００に対して以下に説明する機能は、或いは、ＶＣＲマイクロコントローラ３０によって実行され得ることを明記する。
【００３６】
追加マージン設定装置６０の動作を、図４のブロック図と図５のフローチャート２００を参照しながら説明する。追加マージン設定装置６０が、セットトップボックス、又は、ＶＣＲ１３０の外部の他の装置内に実装される実施例では、追加マージン設定装置６０は、組合わされたキーボード／ディスプレイ入力装置６１０又は遠隔制御コンソール１０ｂからのユーザ入力を受信する入力インタフェース６２０及び６３０を有し得る。そのような遠隔制御コンソール１０ｂは、セットトップボックスとの動作のために特別設計されるか、又は、幾つかの装置を制御するために用いられる汎用遠隔制御器で有り得る。
【００３７】
図４に示すキーボード６１０及び／又は遠隔制御器は、ＥＰＧ上の番組リストを指定するか、又は、記録パラメータを手動で入力することにより、ＶＣＲ１３０の記録パラメータをプログラムすることをユーザに可能にする。追加マージン設定装置６０がＶＣＲ１３０内にある代替の実施例では、ＥＰＧは、そのようなパラメータをユーザから直接受信せず、また、キーボード／ディスプレイユニット６１０及びインタフェース６２０及び６３０は必要でなくなる。その代わりに、追加マージン設定装置６０は、記録開始及び終了時間と、記録開始及び終了日付を含むプログラムされた記録パラメータを受信するために、記録パラメータメモリ５０又はＶＣＲマイクロコントローラ３０と通信するためのインタフェース（図示せず）のみを必要とする。プログラムされた記録パラメータの設定又は獲得は、段階２１０に示す。
【００３８】
追加マージン設定装置６０の装置マイクロコントローラ６００は、プログラムされた記録パラメータを受信し、メモリ６４０から対応するマージン設定パラメータΔＴＢ及びΔＴＥを調べる（段階２２０参照）。１つの実施例において、装置マイクロコントローラ６００は、ΔＴＢ及びΔＴＥによって決められる時間マージンを追加することは、段階２３０に示すように、記録時間間隔５が、別の、前にプログラムされた記録時間間隔５にオーバラップするか否かが判断され得る。例えば、ＶＣＲ１３０は、現在のプログラムされた記録時間間隔５の直前に終了する別のチャネルで放送される別のテレビジョン番組を記録するよう以前にプログラムされている場合がある。この場合、記録時間間隔に、始まりの時間マージン６を追加することは、このプログラムされた記録時間間隔５を、以前に設定されたプログラムされた時間間隔にオーバラップさせてしまう。
【００３９】
装置マイクロコントローラ６００が、プログラムされた記録時間間隔５に、始まり及び終わりの時間マージン６及び７を追加することによって、オーバラップ又はコンフリクトが生じないと判断すると、装置コントローラ６００は、ΔＴＢ及びΔＴＥにより決められる時間マージンを含むようプログラムされた記録パラメータを適応させ、そのパラメータを、メモリ６４０内に格納する（段階２６０）。装置マイクロコントローラ６００は、次に、変更されたプログラムされた記録パラメータを、ＶＣＲインタフェース６５０を用いて、ＶＣＲ１３０に伝送する。
【００４０】
しかし、装置マイクロコントローラ６００が、時間マージンを追加することによって、現在の記録時間間隔５が、以前にプログラムされた記録時間間隔５とコンフリクトすると判断すると、装置マイクロコントローラ６００は、段階２４０に示すように、コンフリクト解決アルゴリズムを実行する。このアルゴリズムは、プログラムされた記録時間間隔５が以前に設定された時間間隔５とオーバラップしないようパラメータΔＴＢ及びΔＴＥが変更されなければならない方法を決める。このことは、ΔＴＢ又はΔＴＥのいずれかを新しいパラメータΔＴＢ’及びΔＴＥ’に変更することを含み得る。コンフリクト解決は、以前に設定されたプログラムされた記録に関連付けられる記録パラメータも変更し得る（例えば、始まり又は終わりの時間マージンを短くする）。
【００４１】
１つの実施例では、コンフリクト解決アルゴリズムは、現在のプログラムされた記録と以前に設定されたプログラムされた記録の記録パラメータを変更する方法を決めるルールを実行し得る。更に、記録がプログラムされた時間、記録されるテレビジョン番組のタイプ、ユーザによる優先順位指定（例えば、高、中、下）等といった因子に基づいてコンフリクト解決アルゴリズムによってプログラムされた記録の１つに優先順位が割当てられ得る。その場合、ルールは、低い優先順位を有するプログラムされた記録のプログラムされた記録時間間隔５を短くして、プログラムされた記録間にオーバラップがないようにされ得る。
【００４２】
１つの代替の実施例では、コンフリクト解決アルゴリズムは、単に、各コンフリクトするプログラムされた記録のプログラムされた記録時間間隔５を同等に短くして、そのプログラムされた記録がオーバラップしないようにされ得る。当業者は、プログラムされた記録時間間隔５間のそのようなコンフリクトを解決するために用いることのできる様々な方法及びアルゴリズムを考えることができるであろう。
【００４３】
段階２５０において、装置コントローラ６００は、現在のプログラムされた記録及び／又は以前に設定されたプログラムされた記録のプログラムされた記録パラメータを、コンフリクト解決アルゴリズムの結果に基づいて変更する。例えば、最初に決められたΔＴＢ又はΔＴＥパラメータに対応する時間マージンを追加する代わりに、現在のプログラムされた記録時間間隔５は、変更されたパラメータΔＴＢ’及びΔＴＥ’に対応する時間マージンを含むよう変更され得る。装置マイクロコントローラ６００は、メモリ６４０内に変更されたパラメータを格納する。最後に、装置マイクロコントローラ６００は、現在のプログラムされた記録の変更されたプログラムされた記録パラメータと、変更された、以前に設定されたプログラムされた記録の任意のプログラム記録パラメータを、ＶＣＲインタフェース６５０を介してＶＣＲ１３０に伝送する。
【００４４】
上述したように、本発明は、ＶＣＲ１３０のみに対応するプログラムされた記録時間間隔にマージンを追加することに制限されない。追加マージン設定装置は、特定の時間間隔の間に記憶媒体上にデータを記録するようプログラムされることのできる任意のタイプの記録装置と共に動作することが可能である。例えば、本発明は、テレビジョン又はラジオ番組、又は、インターネットを介してコンピュータにブロードキャストされるマルチメディア表現を記録する任意のタイプのビデオ又はオーディオレコーダの記録時間間隔５を伸ばすよう用いることが可能である。
【００４５】
更に、本発明は、環境から検知される画像及び／又は音声を記録するようプログラムされるビデオカメラ又はオーディオレコーダと共に用いることが可能である。同様に、本発明は、コンピュータシステムへのユーザの入力及びインタラクションを記録するシステム（例えば、事務所内のユーザの仕事の流れを監視する用途）の記録時間間隔５を変更するよう用い得る。
【００４６】
上述の実施例を参照して説明した本発明から明らかであるように、これらの実施例は、多くの方法で変更し得る。そのような変更は、本発明の技術精神及び範囲から逸脱するものとはみなされず、当業者に明らかである全ての変更は、特許請求の範囲に含まれるものである。
【図面の簡単な説明】
【００４７】
【図１】開始時間の予定外の遅延によりテレビジョン番組の全体が記録されない状況を説明する図である。
【図２】本発明の１つの実施例によって、ビデオレコーダが記録するようプログラムされる時間間隔へのマージンの追加を説明する図である。
【図３Ａ】ビデオレコーダ内の装置によってプログラムされた記録時間間隔にマージンが追加される本発明の１つの実施例を示すブロック図である。
【図３Ｂ】ビデオレコーダ外の装置によってプログラムされた記録時間間隔にマージンが追加される本発明の１つの実施例を示すブロック図である。
【図４】本発明の１つの実施例による追加マージン設定装置を示すブロック図である。
【図５】ビデオレコーダのプログラムされた記録時間間隔にマージンが追加される方法を説明するフローチャートである。
【図１】
2005506021.tif 000003
【図２】
2005506021.tif 000004
【図３Ａ】
2005506021.tif 000005
【図３Ｂ】
2005506021.tif 000006
【図４】
2005506021.tif 000007
【図５】
2005506021.tif 000008
【国際公開パンフレット】
2005506021.tif 000009
2005506021.tif 000010
2005506021.tif 000011
2005506021.tif 000012
2005506021.tif 000013
2005506021.tif 000014
2005506021.tif 000015
2005506021.tif 000016
2005506021.tif 000017
2005506021.tif 000018
2005506021.tif 000019
2005506021.tif 000020
2005506021.tif 000021
2005506021.tif 000022
2005506021.tif 000023
2005506021.tif 000024
2005506021.tif 000025
2005506021.tif 000026
2005506021.tif 000027
【国際調査報告】
2005506021.tif 000028
2005506021.tif 000029
2005506021.tif 000030